(57)【要約】【課題】  コンテンツ保存期間の不正使用の防止を図る。【解決手段】  計時した時刻を操作者の操作によって修正不可能なＲＴＣ部1i11と、録画したコンテンツのデータと、ＲＴＣ部1i11により計時された録画時刻とが記憶されるコンテンツデータ記憶部1gと、コンテンツデータ記憶部1gに記憶されたコンテンツのデータから抽出された保存期間と、ＲＴＣ部1i11によって計時された録画時刻のデータとから保存期間終了時刻を算出する著作権保護用保存期間監視部1nと、ＲＴＣ部1i11により計時された現在時刻が保存期間終了時刻を過ぎていた場合に、当該コンテンツを削除するコンテンツ破棄部1oとを備える。【選択図】図１
2010021807.tif 000002
【特許請求の範囲】
【請求項１】
時刻を計時し、操作者の操作によって計時した時刻を修正不可能な第１の計時手段と、
コンテンツのデータと、前記第１の計時手段により計時された当該コンテンツの録画時刻とが記憶されるコンテンツデータ記憶手段と、
コンテンツを録画することにより、録画したコンテンツのデータを前記コンテンツデータ記憶手段に記憶させるコンテンツ録画手段と、
前記コンテンツ録画手段により前記コンテンツの録画が実行された録画時刻であって、前記第１の計時手段によって計時された録画時刻を、前記コンテンツに関連付けて前記コンテンツデータ記憶手段に記憶させる第１の録画時刻記録手段と、
前記コンテンツデータ記憶手段に記憶されたコンテンツのデータから、前記コンテンツの保存期間に関するデータを抽出する保存期間抽出手段と、
前記保存期間抽出手段により抽出されたコンテンツの保存期間と、前記コンテンツの録画時刻のデータとから前記コンテンツの保存期間終了時刻を算出する保存期間終了時刻算出手段と、
前記第１の計時手段により計時された現在時刻が前記保存期間終了時刻算出手段により算出されたコンテンツの保存期間終了時刻を過ぎていた場合に、前記第１の計時手段により計時された現在時刻が前記コンテンツのデータの保存期間終了時刻を過ぎているコンテンツを前記コンテンツデータ記憶手段から削除するコンテンツデータ削除手段と
を備えるコンテンツデータ管理装置。
【請求項２】
前記第１の計時手段によって計時された時刻と、前記第１の計時手段によって計時された時刻と操作者の操作によって設定された時刻との差とに基づいて補間された時刻を計時し、操作者の操作によって計時した時刻を修正可能な第２の計時手段と、
前記コンテンツ録画手段により前記コンテンツの録画が実行された録画時刻が記憶される録画時刻記憶手段と、
前記コンテンツ録画手段により前記コンテンツの録画が実行された録画時刻であって、前記第２の計時手段によって計時された録画時刻を、前記録画時刻記憶手段に記憶させる第２の録画時刻記録手段と、
前記コンテンツデータ記憶手段に記憶された録画済みのコンテンツを表示手段に表示させるための表示要求が操作者からある場合に、前記コンテンツデータ記憶手段から読み出した全てのコンテンツのデータと、録画時刻記憶手段に記憶された録画時刻のデータとから、録画済みの全てのコンテンツのデータと、各コンテンツの録画時刻のデータとを含むコンテンツリストを生成するコンテンツリスト生成手段と、
前記コンテンツリスト生成手段により生成されたコンテンツリストを前記表示手段に表示させる表示制御手段と
を更に備えた請求項１に記載のコンテンツデータ管理装置。
【請求項３】
前記保存期間抽出手段は、
前記コンテンツデータ記憶手段に記憶されたＭＰＥＧ２−ＴＳに含まれるＰＭＴのデータから、ＲＥＴＥＮＴＩＯＮビットのデータを検出して、検出したＲＥＴＥＮＴＩＯＮビットのデータからコンテンツの保存期間のデータを抽出する
請求項１又は請求項２に記載のコンテンツデータ管理装置
【請求項４】
コンテンツを録画することにより、録画したコンテンツのデータを、コンテンツのデータと、計時手段により計時された当該コンテンツの録画時刻とが記憶されるコンテンツデータ記憶手段に記憶させるコンテンツ録画工程と、
前記コンテンツ録画工程で前記コンテンツの録画が実行された録画時刻であって、操作者の操作によって時刻を修正不可能な計時手段によって計時された録画時刻を、前記コンテンツに関連付けて前記コンテンツデータ記憶手段に記憶させる録画時刻記録工程と、
前記コンテンツデータ記憶手段に記憶されたコンテンツのデータから、前記コンテンツの保存期間に関するデータを抽出する保存期間抽出工程と、
前記保存期間抽出工程で抽出されたコンテンツの保存期間と、前記コンテンツの録画時刻のデータとから前記コンテンツの保存期間終了時刻を算出する保存期間終了時刻算出工程と、
前記計時手段により計時された現在時刻が前記保存期間終了時刻算出工程で算出されたコンテンツの保存期間終了時刻を過ぎていた場合に、前記計時手段により計時された現在時刻が前記コンテンツのデータの保存期間終了時刻を過ぎているコンテンツを前記コンテンツデータ記憶手段から削除するコンテンツデータ削除工程と
を含むコンテンツデータ管理方法。
【請求項５】
コンテンツを管理するコンテンツデータ管理装置のコンピュータにインストールされたコンテンツデータ管理プログラムであって、
前記コンテンツデータ管理装置のコンピュータに、
コンテンツを録画することにより、録画したコンテンツのデータを、コンテンツのデータと、時刻を修正不可能な第１の計時手段により計時された当該コンテンツの録画時刻とが記憶されるコンテンツデータ記憶手段に記憶させるコンテンツ録画手順、
前記コンテンツ録画手順で前記コンテンツの録画が実行された録画時刻であって、操作者の操作によって時刻を修正不可能な第１の計時手段によって計時された録画時刻を、前記コンテンツに関連付けて前記コンテンツデータ記憶手段に記憶させる第１の録画時刻記録手順、
前記コンテンツデータ記憶手段に記憶されたコンテンツのデータから、前記コンテンツの保存期間に関するデータを抽出する保存期間抽出手順、
前記保存期間抽出手順で抽出されたコンテンツの保存期間と、前記コンテンツの録画時刻のデータとから前記コンテンツの保存期間終了時刻を算出する保存期間終了時刻算出手順、
前記計時手段により計時された現在時刻が前記保存期間終了時刻算出手順で算出されたコンテンツの保存期間終了時刻を過ぎていた場合に、前記計時手段により計時された現在時刻が前記コンテンツのデータの保存期間終了時刻を過ぎているコンテンツを前記コンテンツデータ記憶手段から削除するコンテンツデータ削除手順
を実行させるためのコンテンツデータ管理プログラム。
【請求項６】
前記コンテンツデータ管理装置のコンピュータに、
前記コンテンツ録画手順で前記コンテンツの録画が実行された録画時刻であって、前記第１の計時手段によって計時された時刻と、前記第１の計時手段によって計時された時刻と操作者の操作によって設定された時刻との差とに基づいて補間された時刻を計時し、操作者の操作によって計時した時刻を修正可能な第２の計時手段によって計時された録画時刻を、前記コンテンツ録画手順で前記コンテンツの録画が実行された録画時刻が記憶された録画時刻記憶手段に記憶させる第２の録画時刻記録手順、
前記コンテンツデータ記憶手段に記憶された録画済みのコンテンツを表示手段に表示させるための表示要求が操作者からある場合に、前記コンテンツデータ記憶手段から読み出した全てのコンテンツのデータと、録画時刻記憶手段に記憶された録画時刻のデータとから、録画済みの全てのコンテンツのデータと、各コンテンツの録画時刻のデータとを含むコンテンツリストを生成するコンテンツリスト生成手順、
前記コンテンツリスト生成手順で生成されたコンテンツリストを前記表示手段に表示させる表示制御手順
を更に実行させるための請求項５に記載のコンテンツデータ管理プログラム。
【請求項７】
前記保存期間抽出手順では、
前記コンテンツデータ記憶手段に記憶されたＭＰＥＧ２−ＴＳに含まれるＰＭＴのデータから、ＲＥＴＥＮＴＩＯＮビットのデータを検出して、検出したＲＥＴＥＮＴＩＯＮビットのデータからコンテンツの保存期間のデータを抽出する
請求項５又は請求項６に記載のコンテンツデータ管理プログラム。
【発明の詳細な説明】
【技術分野】
【０００１】
本発明は、録画されたコンテンツの保存期間を管理することによって、コンテンツの不正使用を回避するコンテンツデータ管理装置、コンテンツデータ管理方法、及びコンテンツデータ管理プログラムに関する。
【背景技術】
【０００２】
従来、ＤＴＣＰ−ＩＰ規格（Ｄｉｇｉｔａｌ Ｔｒａｎｓｍｉｓｓｉｏｎ Ｃｏｎｔｅｎｔ Ｐｒｏｔｅｃｔｉｏｎ ｏｖｅｒ Ｉｎｔｅｒｎｅｔ Ｐｒｏｔｏｃｏｌ）に準拠したデータストリームを記録する記録装置が知られている（特許文献１参照）。
【特許文献１】特開２００４−００７４９４号公報
【発明の開示】
【発明が解決しようとする課題】
【０００３】
かかる記録装置では、ＤＴＣＰ−ＩＰ規格（Ｄｉｇｉｔａｌ Ｔｒａｎｓｍｉｓｓｉｏｎ Ｃｏｎｔｅｎｔ Ｐｒｏｔｅｃｔｉｏｎ ｏｖｅｒ Ｉｎｔｅｒｎｅｔ Ｐｒｏｔｏｃｏｌ）に準拠したデータストリームをネットワーク上にアップロードすることは禁止されているが、私的目的による複製は制限されていない。
【０００４】
近年、著作権の適切な保護の要請から、通信ネットワークを介して保存期限付きのコンテンツが配信されるようになってきているが、特許文献１の記録装置では、私的目的による複製に関しては何ら制限されていないので、かかる保存期限付きのコンテンツの保存期限を特許文献１の記録装置で管理することは困難である。
【０００５】
また、一般的な記録装置を用いて、かかる保存期限付きのコンテンツの保持期限を管理した場合には、記録装置に内蔵された時計の時刻が操作者の操作によって変更されることによって、コンテンツの保存期限が延長される可能性がある。例えば、ＸＸＸＸ年１月１日午前０時に録画され、保存期間が２４時間と定義されたコンテンツがある場合に、ＸＸＸＸ年１月１日午後１１時５５分に、操作者によって時計の時刻がＸＸＸＸ年１月１日午前０時に変更されると、予め定められたコンテンツの保存期間を超えてコンテンツを使用することが可能になってしまう可能性がある。
【０００６】
本発明者の著作権の適切な保護に関する考察によれば、録画したコンテンツの保存許可期間の不正使用の防止を図ることにより、適切な著作権の保護を行うことが可能なコンテンツデータ管理装置、コンテンツデータ管理方法、及びコンテンツデータ管理プログラムに対する産業界の要請が高まっている。
そこで、本発明は、録画したコンテンツの保存許可期間の不正使用の防止を図ることにより、適切な著作権の保護を行うことを可能にするコンテンツデータ管理装置、コンテンツデータ管理方法、及びコンテンツデータ管理プログラムを提供することを目的とする。
【課題を解決するための手段】
【０００７】
本発明の骨子は、「操作者の操作によって計時した時刻を修正不可能な計時手段により計時された現在時刻が抽出されたコンテンツの保存期間と、コンテンツの録画時刻のデータとから算出されたコンテンツの保存期間終了時刻を過ぎていた場合に、当該コンテンツのデータを削除」する構成により、コンテンツ保存期間の不正使用の防止を図るという本願の発明に特有の効果を達成することにある。
【０００８】
さて、以上のような本発明の骨子は、具体的には、以下のような手段を講じることにより実現される。
【０００９】
第１の発明は、時刻を計時し、操作者の操作によって計時した時刻を修正不可能な第１の計時手段と、コンテンツのデータと、第１の計時手段により計時された当該コンテンツの録画時刻とが記憶されるコンテンツデータ記憶手段と、コンテンツを録画することにより、録画したコンテンツのデータをコンテンツデータ記憶手段に記憶させるコンテンツ録画手段と、コンテンツ録画手段によりコンテンツの録画が実行された録画時刻であって、第１の計時手段によって計時された録画時刻を、コンテンツに関連付けてコンテンツデータ記憶手段に記憶させる第１の録画時刻記録手段と、コンテンツデータ記憶手段に記憶されたコンテンツのデータから、コンテンツの保存期間に関するデータを抽出する保存期間抽出手段と、保存期間抽出手段により抽出されたコンテンツの保存期間と、コンテンツの録画時刻のデータとからコンテンツの保存期間終了時刻を算出する保存期間終了時刻算出手段と、第１の計時手段により計時された現在時刻が保存期間終了時刻算出手段により算出されたコンテンツの保存期間終了時刻を過ぎていた場合に、第１の計時手段により計時された現在時刻がコンテンツデータの保存期間終了時刻を過ぎているコンテンツをコンテンツデータ記憶手段から削除するコンテンツデータ削除手段とを備えるコンテンツデータ管理装置である。
【００１０】
これにより、操作者の操作によって計時した時刻を修正不可能な第１の計時手段により計時された現在時刻が抽出されたコンテンツの保存期間と、コンテンツの録画時刻のデータとから算出されたコンテンツの保存期間終了時刻を過ぎていた場合に、当該コンテンツのデータを削除することにより、コンテンツ保存期間の不正使用の防止を図ることが可能になる。
【００１１】
第２の発明は、コンテンツを録画することにより、録画したコンテンツのデータを、コンテンツのデータと、計時手段により計時された当該コンテンツの録画時刻とが記憶されるコンテンツデータ記憶手段に記憶させるコンテンツ録画工程と、コンテンツ録画工程でコンテンツの録画が実行された録画時刻であって、操作者の操作によって時刻を修正不可能な計時手段によって計時された録画時刻を、コンテンツに関連付けてコンテンツデータ記憶手段に記憶させる録画時刻記録工程と、コンテンツデータ記憶手段に記憶されたコンテンツのデータから、コンテンツの保存期間に関するデータを抽出する保存期間抽出工程と、保存期間抽出工程で抽出されたコンテンツの保存期間と、コンテンツの録画時刻のデータとからコンテンツの保存期間終了時刻を算出する保存期間終了時刻算出工程と、計時手段により計時された現在時刻が保存期間終了時刻算出工程で算出されたコンテンツの保存期間終了時刻を過ぎていた場合に、計時手段により計時された現在時刻がコンテンツのデータの保存期間終了時刻を過ぎているコンテンツをコンテンツデータ記憶手段から削除するコンテンツデータ削除工程とを含むコンテンツデータ管理方法である。
【００１２】
これにより、操作者の操作によって計時した時刻を修正不可能な計時手段により計時された現在時刻が抽出されたコンテンツの保存期間と、コンテンツの録画時刻のデータとから算出されたコンテンツの保存期間終了時刻を過ぎていた場合に、当該コンテンツのデータを削除することにより、コンテンツ保存期間の不正使用の防止を図ることが可能になる。
【００１３】
第３の発明は、コンテンツを管理するコンテンツデータ管理装置のコンピュータにインストールされたコンテンツデータ管理プログラムであって、コンテンツデータ管理装置のコンピュータに、コンテンツを録画することにより、録画したコンテンツのデータを、コンテンツのデータと、時刻を修正不可能な計時手段により計時された当該コンテンツの録画時刻とが記憶されるコンテンツデータ記憶手段に記憶させるコンテンツ録画手順、コンテンツ録画手順でコンテンツの録画が実行された録画時刻であって、操作者の操作によって時刻を修正不可能な計時手段によって計時された録画時刻を、コンテンツに関連付けてコンテンツデータ記憶手段に記憶させる第１の録画時刻記録手順、コンテンツデータ記憶手段に記憶されたコンテンツのデータから、コンテンツの保存期間に関するデータを抽出する保存期間抽出手順、保存期間抽出手順で抽出されたコンテンツの保存期間と、コンテンツの録画時刻のデータとからコンテンツの保存期間終了時刻を算出する保存期間終了時刻算出手順、計時手段により計時された現在時刻が保存期間終了時刻算出手順で算出されたコンテンツの保存期間終了時刻を過ぎていた場合に、計時手段により計時された現在時刻がコンテンツデータの保存期間終了時刻を過ぎているコンテンツをコンテンツデータ記憶手段から削除するコンテンツデータ削除手順を実行させるためのコンテンツデータ管理プログラムである。
【００１４】
これにより、操作者の操作によって計時した時刻を修正不可能な計時手段により計時された現在時刻が抽出されたコンテンツの保存期間と、コンテンツの録画時刻のデータとから算出されたコンテンツの保存期間終了時刻を過ぎていた場合に、当該コンテンツのデータを削除することにより、コンテンツ保存期間の不正使用の防止を図ることが可能になる。
【発明の効果】
【００１５】
本発明によれば、操作者の操作によって計時した時刻を修正不可能な計時手段により計時された現在時刻が抽出されたコンテンツの保存期間と、コンテンツの録画時刻のデータとから算出されたコンテンツの保存期間終了時刻を過ぎていた場合に、当該コンテンツのデータを削除することにより、コンテンツ保存期間の不正使用の防止を図ることが可能になる。
【発明を実施するための最良の形態】
【００１６】
以下、本発明の最良の形態に関し、図面を参照して説明する。
【００１７】
図１は、本発明の一実施の形態に係るコンテンツデータ管理装置１の全体構成を示すブロック図である。
【００１８】
本実施の形態に係るコンテンツデータ管理装置１は、１つのＲＴＣ（Ｒｅａｌ Ｔｉｍｅ Ｃｌｏｃｋ）で操作者であるユーザが修正可能なユーザ用時刻と、操作者であるユーザが修正不可能なセキュアな時刻との２つの時刻情報を管理することによって、コンテンツ保存期間の不正使用の防止を図る装置である。
【００１９】
換言すれば、本実施の形態に係るコンテンツデータ管理装置１は、通信ネットワーク等を介して受信したコンテンツ、例えばＤＴＣＰ−ＩＰ規格（Ｄｉｇｉｔａｌ Ｔｒａｎｓｍｉｓｓｉｏｎ Ｃｏｎｔｅｎｔ Ｐｒｏｔｅｃｔｉｏｎ ｏｖｅｒ Ｉｎｔｅｒｎｅｔ Ｐｒｏｔｏｃｏｌ）に準拠したＭＰＥＧ−２ ＴＳを含む動画を録画し、録画した動画内のＰＭＴ（Ｐｒｏｇｒａｍ  ＭａｐＴａｂｌｅ）に含まれる、録画したコンテンツである動画の録画時からの保存許可期間を示すＲＥＴＥＮＴＩＯＮ ＢＩＴのデータと、録画したコンテンツに関連付けて記憶された、操作者の操作によって変更不可能な録画時刻のデータとから当該録画されたコンテンツ保存終了時刻を算出し、操作者の操作によって変更不可能な現在時刻が算出されたコンテンツ保存終了時刻を過ぎていた場合に、操作者の操作によって変更不可能な現在時刻が算出されたコンテンツ保存終了時刻を過ぎていたコンテンツを削除することによって、コンテンツ保存期間の不正使用の防止を図る装置である。本明細書では、「ＲＥＴＥＮＴＩＯＮ ＢＩＴ」とは、本来コピー不可の状態で送信されたコンテンツのデータを特例としてコピーすることが可能な状態か否かに関する情報と、コンテンツのデータをコピーすることが可能な期間とに関する情報とを示すデータを意味し、ＤＴＣＰ Ｓｐｅｃｉｆｉｃａｔｉｏｎ Ｖｏｌｕｍｅ１ Ｒｅｖｉｓｉｏｎ １．５１（Ｉｎｆｏｒｍａｔｉｏｎａｌ ｖｅｒｓｉｏｎ）で規定された「Retention_Move_mode」及び「Retention_State」のデータを包含する。
【００２０】
本実施の形態に係るコンテンツデータ管理装置１は、図１に示すように、コンテンツ受信部１ａと、復号化処理部１ｂと、入力受付部１ｃと、保存期間検出部１ｄと、保存期間記録部１ｅと、ローカル暗号化処理部１ｆと、コンテンツデータ記憶部１ｇと、電源スイッチ部１ｈと、セキュアクロック部１ｉと、時刻調整操作受付部１ｊと、時刻表示部１ｋと、通常時計録画時刻記録部１ｌと、秘匿時計録画時刻記録部１ｍと、著作権保護用保存期間監視部１ｎと、コンテンツ破棄部１ｏと、コンテンツリスト生成部１ｐと、コンテンツリスト表示部１ｑと、ローカル復号化処理部１ｒと、コンテンツ表示部１ｓとを備えている。
【００２１】
また、本実施の形態に係るセキュアクロック部１ｉは、秘匿時計部１ｉ１と、通常時計部１ｉ２とを備えている。
【００２２】
更に、秘匿時計部１ｉ１は、ＲＴＣ部１ｉ１１と、秘匿時計アクセス部１ｉ１２とを備えている。
【００２３】
また、通常時計部１ｉ２は、通常時計アクセス部１ｉ２１と、カーネルクロック部１ｉ２２と、時刻差分情報記憶部１ｉ２３と、疑似ＲＴＣ部１ｉ２４とを備えている。
【００２４】
なお、本発明の一実施の形態に係るコンテンツデータ管理装置１は、記録媒体又は通信ネットワークを介してコンテンツデータ管理プログラムがインストールされた周知のコンピュータによって実現される。
【００２５】
なお、本実施の形態に係るコンテンツデータ管理装置１を構成する各部は、ソフトウェア又はハードウェアもしくはソフトウェアとハードウェアとの組み合わせの何れから構成されていてもよい。
【００２６】
コンテンツ受信部１ａは、入力受付部１ｃから動画の録画要求を受け取ると、通信ネットワークを介して、ＨＴＴＰ（ＨｙｐｅｒＴｅｘｔ Ｔｒａｎｓｆｅｒ Ｐｒｏｔｏｃｏｌ）や、ＲＴＰ（A Ｔｒａｎｓｐｏｒｔ Ｐｒｏｔｏｃｏｌ ｆｏｒ Ｒｅａｌ−Ｔｉｍｅ Ａｐｐｌｉｃａｔｉｏｎｓ）等のネットワークプロトコルを用いて、図示しない放送局の備えた図示しない放送用データサーバ装置から送信されるコンテンツである動画のストリームのデータを受け取る機能と、受け取った動画のストリームのデータを復号化処理部１ｂに出力する機能とを有している。
【００２７】
復号化処理部１ｂは、コンテンツ受信部１ａによって受信された動画のストリームのデータに復号化処理を施し、復号化処理を施した動画のストリームのデータを保存期間検出部１ｄに出力する。
【００２８】
入力受付部１ｃは、操作者の操作によって入力されたコンテンツである動画を録画するためのコンテンツ録画要求、録画済みのコンテンツを再生させるためのコンテンツ再生要求、録画済みで再生可能なコンテンツを表示させるためのコンテンツリストの表示要求の入力をそれぞれ受け付ける機能と、入力を受け付けたコンテンツの転送要求をコンテンツ受信部１ａに出力する機能と、入力を受け付けたコンテンツの再生要求をローカル復号化部と著作権保護用保存期間監視部１ｎとに出力する機能と、コンテンツリストの表示要求をコンテンツリスト生成部１ｐにそれぞれ出力する機能とを有する。
【００２９】
保存期間検出部１ｄは、復号化処理部１ｂから受け取った動画のストリームのデータを受け取り、受け取ったストリームを構成するＭＰＥＧ−２ ＴＳ内のＰＭＴに含まれる、録画したコンテンツである動画の録画時からの保存許可期間を示すＲＥＴＥＮＴＩＯＮ ＢＩＴのデータを検出する機能と、検出した録画したコンテンツである動画の録画時からの保存許可期間を示すＲＥＴＥＮＴＩＯＮ ＢＩＴのデータを保存期間記録部１ｅに出力する機能と、復号化処理部１ｂから受け取ったストリームを構成するＭＰＥＧ−２ ＴＳのデータをローカル暗号化処理部１ｆに出力する機能とを有する。
【００３０】
保存期間記録部１ｅは、保存期間検出部１ｄによって検出された録画したコンテンツである動画の録画時からの保存許可期間を示すＲＥＴＥＮＴＩＯＮ ＢＩＴのデータを、動画のデータに関連付けてコンテンツデータ記憶部１ｇに記憶させる機能と、カーネルクロック部１ｉ２２によって計時された時刻を、コンテンツを録画する録画時刻のデータとして記録させるための第１の録画時刻記録命令を通常時計録画時刻記録部１ｌに出力する機能と、ＲＴＣ部１ｉ１１によって計時された時刻を、コンテンツを録画する録画時刻のデータとして記録させるための第２の録画時刻記録命令を秘匿時計録画時刻記録部１ｍに出力する機能とを有する。
【００３１】
ローカル暗号化処理部１ｆは、保存期間検出部１ｄから受け取ったストリームを構成するＭＰＥＧ−２ ＴＳのデータを暗号化し、暗号化した結果、得られた暗号化データをコンテンツデータ記憶部１ｇに記憶させる機能を有する。
【００３２】
コンテンツデータ記憶部１ｇには、動画のストリームを構成するＭＰＥＧ−２ ＴＳのデータと、動画の保存許可期限と、操作者の操作によって変更可能な時計によって計時された動画の録画時刻、動画の属性情報と、操作者の操作によって変更不可能な時計によって計時された動画の録画時刻とが暗号化された状態で少なくとも関連付けて記憶されている。
【００３３】
電源スイッチ部１ｈは、操作者の操作によってオンオフの状態が切り換え可能な機械式スイッチであり、操作者の操作によってオンの状態に切り替えられた場合に、コンテンツデータ管理装置１本体の電源が投入されたことを示す電源投入信号を通常時計部に出力する機能を有する。
【００３４】
ＲＴＣ部１ｉ１１は、時計であり、図示しないバッテリ電源によって常時電源がバックアップされた、換言すれば電源スイッチがオフの状態に切り替えられた状態であっても時刻を計時する、操作者の操作によって計時した時刻を変更することが不可能な時計である。
【００３５】
秘匿時計アクセス部１ｉ１２は、入力受付部１ｃから録画要求を受け取った場合に、ＲＴＣ部１ｉ１１によって計時された時刻のデータを読み出し、読み出した時刻のデータを秘匿時計録画時刻記録部１ｍに出力する機能と、ＲＴＣ部１ｉ１１が計時する時刻データの送信要求を秘匿時計録画時刻記録部１ｍから受け取ると、ＲＴＣ部１ｉ１１が計時する時刻のデータをＲＴＣ部１ｉ１１から読み出し、読み出した時刻のデータを秘匿時計録画時刻記録部１ｍに出力する機能と、ＲＴＣ部１ｉ１１の計時する時刻のデータの送信要求を著作権保護用保存期間監視部１ｎから受け取った場合に、ＲＴＣ部１ｉ１１によって計時された時刻のデータを読み出し、読み出した時刻のデータを著作権保護用保存期間監視部１ｎに出力する機能とを有する。
【００３６】
時刻調整操作受付部１ｊは、操作者の操作によりなされた時刻の調整に関する操作を受け付ける機能と、操作者の操作によりなされた調整後の時刻のデータを通常時刻アクセス部に出力する機能とを有する。
【００３７】
通常時計アクセス部１ｉ２１は、操作者の操作によりなされた時刻調整後の時刻のデータを時刻調整操作受付部１ｊから受け取り、受け取った時刻調整後の時刻のデータをカーネルクロック部１ｉ２２に出力する機能と、カーネルクロック部１ｉ２２が計時する時刻データの送信要求を通常時計録画時刻記録部１ｌから受け取ると、カーネルクロック部１ｉ２２が計時する時刻のデータをカーネルクロック部１ｉ２２から読み出し、読み出した時刻のデータを通常時計録画時刻記録部１ｌに出力する機能とを有する。
【００３８】
カーネルクロック部１ｉ２２は、電源スイッチ部１ｈをオンの状態に切り替えた後、又は操作者の操作によって、設定された時刻から計時を行う機能を有する。
【００３９】
時刻差分情報記憶部１ｉ２３には、前回のシステム終了時にＲＴＣ部１ｉ１１で計時された時刻のデータと、疑似ＲＴＣ部１ｉ２４で計時されている時刻とから算出された時間差に関するデータが記憶されている。
【００４０】
疑似ＲＴＣ部１ｉ２４は、電源スイッチ部１ｈがオンの状態に切り替えられている場合、換言すれば電源スイッチ部１ｈから電源スイッチがオンの状態に切り替えられていることを示す電源投入信号を受け取った場合に、ＲＴＣ部１ｉ１１が計時する時刻のデータをＲＴＣ部１ｉ１１から読み込んで停止中に進んだ時刻を補間した後で、時刻差分情報記憶部１ｉ２３に記憶された前回のシステム終了時にＲＴＣ部１ｉ１１で計時された時刻のデータと、疑似ＲＴＣ部１ｉ２４で計時されている時刻とから算出された時間差に関するデータを読み出し、ＲＴＣ部１ｉ１１から読み出したＲＴＣ部１ｉ１１が計時する時刻のデータと、時刻差分情報記憶部１ｉ２３に記憶された前回のシステム終了時にＲＴＣ部１ｉ１１で計時された時刻のデータと、疑似ＲＴＣ部１ｉ２４で計時されている時刻とから算出された時間差に関するデータとから操作者が設定した設定時刻を算出する機能と、算出した設定時刻のデータをカーネルクロック部１ｉ２２に書き込む機能と、電源スイッチ部１ｈがオフの状態に切り替えられた場合、換言すれば電源スイッチ部１ｈから電源投入信号が検出されなくなった場合に、カーネルクロック部１ｉ２２によって計時された時刻のデータと、ＲＴＣ部１ｉ１１によって計時された時刻データとの差分を算出して、算出した差分のデータを時刻差分情報記憶部１ｉ２３に記憶させる機能とを有する。
【００４１】
時刻表示部１ｋは、カーネルクロック部１ｉ２２によって計時されている時刻のデータを表示する機能を有する。
【００４２】
通常時計録画時刻記録部１ｌは、保存期間記録部１ｅから出力された第１の録画時刻記録命令を受け取ると、カーネルクロック部１ｉ２２の計時する時刻のデータを送信させるための時刻データ送信要求を通常時計アクセス部１ｉ２１に出力する機能と、通常時計アクセス部１ｉ２１から出力されたカーネルクロック部１ｉ２２の計時する時刻のデータを受け取り、受け取ったカーネルクロック部１ｉ２２の計時する時刻のデータを録画時刻として、コンテンツに関連付けてコンテンツデータ記憶部１ｇに記憶させる機能を有する。
【００４３】
秘匿時計録画時刻記録部１ｍは、保存期間記録部１ｅから出力された第２の録画時刻記録命令を受け取ると、ＲＴＣ部１ｉ１１の計時する時刻のデータを送信させるための時刻データ送信要求を秘匿時計アクセス部１ｉ１２に出力する機能と、秘匿時計アクセス部１ｉ１２から出力されたＲＴＣ部１ｉ１１の計時する時刻のデータを受け取り、受け取ったＲＴＣ部１ｉ１１の計時する時刻のデータを録画時刻として、コンテンツに関連付けてコンテンツデータ記憶部１ｇに記憶させる機能を有する。
【００４４】
著作権保護用保存期間監視部１ｎは、入力受付部１ｃからコンテンツ再生要求を受け取ると、秘匿時計アクセス部１ｉ１２にＲＴＣ部１ｉ１１が計時する時刻の送信要求を出力する機能と、秘匿時計アクセス部１ｉ１２から出力されたＲＴＣ部１ｉ１１の計時する現在時刻のデータを受け取ると、コンテンツデータ記憶部１ｇから操作者から再生要求のあるコンテンツのデータを読み出し、読み出したコンテンツの録画時刻のデータと、録画したコンテンツの録画時からの保存許可期間を示すＲＥＴＥＮＴＩＯＮ ＢＩＴのデータとから、コンテンツの保存期間終了時刻を算出し、算出したコンテンツの保存期間終了時刻と、秘匿時計アクセス部１ｉ１２から受け取ったＲＴＣ部１ｉ１１の計時する現在時刻のデータとから、秘匿時計アクセス部１ｉ１２から受け取ったＲＴＣ部１ｉ１１の計時する現在時刻のデータが算出したコンテンツの保存期間終了時刻を過ぎているかを判定する機能と、当該判定の結果、操作者から再生要求のあるコンテンツが秘匿時計アクセス部１ｉ１２から受け取ったＲＴＣ部１ｉ１１の計時する現在時刻のデータが算出したコンテンツの保存期間終了時刻を過ぎている場合には、ＲＴＣ部１ｉ１１の計時する現在時刻のデータが算出したコンテンツの保存期間終了時刻を過ぎているコンテンツが存在することを示す保存期間終了コンテンツ有り情報と、ＲＴＣ部１ｉ１１の計時する現在時刻のデータが算出したコンテンツの保存期間終了時刻を過ぎているコンテンツに関する情報との組をコンテンツ破棄部１ｏに出力する機能と、前述した判定の結果、秘匿時計アクセス部１ｉ１２から受け取ったＲＴＣ部１ｉ１１の計時する現在時刻のデータが算出したコンテンツの保存期間終了時刻を過ぎていない場合には、再生要求のあるコンテンツの再生を許可することを示すコンテンツの再生許可通知をローカル復号化部に出力する機能と、ＲＴＣ部１ｉ１１の計時する現在時刻のデータが算出したコンテンツの保存期間終了時刻を過ぎているコンテンツが存在しないことを示す保存期間終了コンテンツ無し情報をコンテンツ破棄部１ｏに出力する機能とを有する。
【００４５】
コンテンツ破棄部１ｏは、操作者から再生要求のあるコンテンツが、ＲＴＣ部１ｉ１１の計時する現在時刻のデータが算出したコンテンツの保存期間終了時刻を過ぎていることを示す保存期間終了コンテンツ有り情報と、ＲＴＣ部１ｉ１１の計時する現在時刻のデータが算出したコンテンツの保存期間終了時刻を過ぎているコンテンツに関する情報との組を著作権保護用保存期間監視部１ｎから受け取った場合には、ＲＴＣ部１ｉ１１の計時する現在時刻のデータが算出したコンテンツの保存期間終了時刻を過ぎているコンテンツのデータを削除する機能と、ＲＴＣ部１ｉ１１の計時する現在時刻のデータが算出したコンテンツの保存期間終了時刻を過ぎているコンテンツが存在しないことを示す保存期間終了コンテンツ無し情報を著作権保護用保存期間監視部１ｎから受け取った場合には、実行処理を終了する機能とを有する。
【００４６】
コンテンツリスト生成部１ｐは、入力受付部１ｃからコンテンツリスト表示要求を受け取ると、コンテンツデータ記憶部１ｇに記憶されている全てのコンテンツに関するデータをコンテンツデータ記憶部１ｇから読み出し、読み出したコンテンツの属性情報を含むコンテンツリストを生成し、生成したコンテンツリストのデータをコンテンツリスト表示部１ｑに表示させる機能を有する。
【００４７】
コンテンツリスト表示部１ｑは、コンテンツリストを表示する図示しない表示画面を有しており、コンテンツの属性情報、例えばコンテンツのタイトル、録画時刻、コンテンツの長さを含むコンテンツリストを表示する。
【００４８】
ローカル復号化部１ｒは、動画の再生要求を入力受付部１ｃから受け取った後で、再生要求のあるコンテンツの再生を許可することを示すコンテンツの再生許可通知を著作権保護用保存期間監視部１ｎから受け取った場合には、コンテンツデータ記憶部１ｇからコンテンツのデータを読み出し、読み出したコンテンツを復号して、コンテンツ表示部１ｓに表示させる。
【００４９】
コンテンツ表示部１ｓは、コンテンツを表示する図示しない表示画面を有しており、操作者から再生要求のあるコンテンツを表示する。
【００５０】
次に、以上のように構成されたコンテンツデータ管理装置１の実行する実行処理に関し、図面を参照して説明する。
【００５１】
図２乃至図４は、本実施の形態に係るコンテンツデータ管理装置１の実行する実行処理を説明するためのフローチャートである。
【００５２】
本実施の形態に係るコンテンツデータ管理装置１は、録画処理、コンテンツ再生処理、コンテンツリスト表示処理を実行する。
【００５３】
以下、各処理に関してより詳細に説明する。
［録画処理：ＳＴＡ］
【００５４】
図２は、本実施の形態に係るコンテンツデータ管理装置１の実行する録画処理を説明するためのフローチャートである。
【００５５】
始めに、本実施の形態に係るコンテンツデータ管理装置１の入力受付部１ｃに設けられたコンテンツを録画するための図示しない録画釦が操作者の操作によって操作されると、保存期間検出部１ｄは、コンテンツ受信部１ａ、復号化処理部１ｂを経て動画のストリームのデータを受け取り、受け取ったストリームを構成するＭＰＥＧ−２ ＴＳ内のＰＭＴに含まれる、録画したコンテンツである動画の録画時からの保存許可期間を示すＲＥＴＥＮＴＩＯＮ ＢＩＴのデータを検出する（Ａ１）。
【００５６】
次に、保存期間検出部１ｄは、検出した録画したコンテンツである動画の録画時からの保存許可期間を示すＲＥＴＥＮＴＩＯＮ ＢＩＴのデータを保存期間記録部１ｅに出力する（Ａ２）。
【００５７】
次に、保存期間検出部１ｄは、復号化処理部１ｂから受け取ったストリームを構成するＭＰＥＧ−２ ＴＳのデータをローカル暗号化処理部１ｆに出力する（Ａ３）。
【００５８】
次に、ローカル暗号化処理部１ｆは、保存期間検出部１ｄから受け取ったストリームを構成するＭＰＥＧ−２ ＴＳのデータを暗号化し、暗号化した結果、得られた暗号化データをコンテンツデータ記憶部１ｇに記憶させる（Ａ４）。
【００５９】
次に、保存期間記録部１ｅは、保存期間検出部１ｄによって検出された録画したコンテンツである動画の録画時からの保存許可期間を示すＲＥＴＥＮＴＩＯＮ ＢＩＴのデータを、動画のデータに関連付けてコンテンツデータ記憶部１ｇに記憶させる（Ａ５）。
【００６０】
次に、通常時計録画時刻記録部１ｌは、保存期間記録部１ｅから出力された第１の録画時刻記録命令を受け取ると、カーネルクロック部１ｉ２２の計時する時刻のデータを送信させるための時刻データ送信要求を通常時計アクセス部１ｉ２１に出力し、通常時計アクセス部１ｉ２１から出力されたカーネルクロック部１ｉ２２の計時する時刻のデータを受け取り、受け取ったカーネルクロック部１ｉ２２の計時する時刻のデータを録画時刻として、コンテンツに関連付けてコンテンツデータ記憶部１ｇに記憶させる（Ａ６）。
【００６１】
次に、秘匿時計録画時刻記録部１ｍは、保存期間記録部１ｅから出力された第２の録画時刻記録命令を受け取ると、ＲＴＣ部１ｉ１１の計時する時刻のデータを送信させるための時刻データ送信要求を秘匿時計アクセス部１ｉ１２に出力し、秘匿時計アクセス部１ｉ１２から出力されたＲＴＣ部１ｉ１１の計時する時刻のデータを受け取り、受け取ったＲＴＣ部１ｉ１１の計時する時刻のデータを録画時刻として、コンテンツに関連付けてコンテンツデータ記憶部１ｇに記憶させる（Ａ７）。
【００６２】
以上の一連の処理により、本実施の形態に係るコンテンツデータ管理装置１は、実行中の録画処理を終了する。
［コンテンツ再生処理：ＳＴＢ］
【００６３】
図３は、本実施の形態に係るコンテンツデータ管理装置１の実行するコンテンツ再生処理を説明するためのフローチャートである。
【００６４】
始めに、本実施の形態に係るコンテンツデータ管理装置１の入力受付部１ｃに設けられたコンテンツを再生するための図示しない再生釦が操作者の操作によって操作されると、著作権保護用保存期間監視部１ｎは、入力受付部１ｃからコンテンツ再生要求を受け取った後、秘匿時計アクセス部１ｉ１２にＲＴＣ部１ｉ１１が計時する時刻の送信要求を出力し、秘匿時計アクセス部１ｉ１２から出力されたＲＴＣ部１ｉ１１の計時する現在時刻のデータを受け取る（Ｂ１）。
【００６５】
次に、著作権保護用保存期間監視部１ｎは、コンテンツデータ記憶部１ｇから操作者から再生要求のあるコンテンツのデータを読み出し、読み出したコンテンツの録画時刻のデータと、録画したコンテンツの録画時からの保存許可期間を示すＲＥＴＥＮＴＩＯＮ ＢＩＴのデータとから、コンテンツの保存期間終了時刻を算出し、算出したコンテンツの保存期間終了時刻と、秘匿時計アクセス部１ｉ１２から受け取ったＲＴＣ部１ｉ１１の計時する現在時刻のデータとから、秘匿時計アクセス部１ｉ１２から受け取ったＲＴＣ部１ｉ１１の計時する現在時刻のデータが算出したコンテンツの保存期間終了時刻を過ぎているかを判定する（Ｂ２）。
【００６６】
著作権保護用保存期間監視部１ｎは、前述した工程Ｂ２の判定の結果、秘匿時計アクセス部１ｉ１２から受け取ったＲＴＣ部１ｉ１１の計時する現在時刻のデータが算出したコンテンツの保存期間終了時刻を過ぎている場合には（Ｂ２：Ｙｅｓ）、操作者から再生要求のあるコンテンツが、ＲＴＣ部１ｉ１１の計時する現在時刻のデータが算出したコンテンツの保存期間終了時刻を過ぎているコンテンツが存在することを示す保存期間終了コンテンツ有り情報と、ＲＴＣ部１ｉ１１の計時する現在時刻のデータが算出したコンテンツの保存期間終了時刻を過ぎているコンテンツに関する情報との組をコンテンツ破棄部１ｏに出力する（Ｂ３）。
【００６７】
工程Ｂ４では、コンテンツ破棄部１ｏは、ＲＴＣ部１ｉ１１の計時する現在時刻のデータが算出したコンテンツの保存期間終了時刻を過ぎているコンテンツが存在することを示す保存期間終了コンテンツ有り情報と、ＲＴＣ部１ｉ１１の計時する現在時刻のデータが算出したコンテンツの保存期間終了時刻を過ぎているコンテンツに関する情報との組を著作権保護用保存期間監視部１ｎから受け取ると、ＲＴＣ部１ｉ１１の計時する現在時刻のデータが算出したコンテンツの保存期間終了時刻を過ぎているコンテンツのデータをコンテンツデータ記憶部１ｇから読み出した後、読み出したコンテンツのデータを削除する。
【００６８】
一方、著作権保護用保存期間監視部１ｎは、前述した判定の結果、秘匿時計アクセス部１ｉ１２から受け取ったＲＴＣ部１ｉ１１の計時する現在時刻のデータが算出したコンテンツの保存期間終了時刻を過ぎていない場合には（Ｂ２：Ｎｏ）、ローカル復号化部１ｒに再生要求のあるコンテンツの再生を許可することを示すコンテンツの再生許可通知を出力する（Ｂ５）。
【００６９】
なお、本実施の形態に係るコンテンツデータ管理装置１では、著作権保護用保存期間監視部１ｎは、入力受付部１ｃからコンテンツ再生要求を受け取ると、秘匿時計アクセス部１ｉ１２にＲＴＣ部１ｉ１１が計時する時刻の送信要求を出力する機能と、秘匿時計アクセス部１ｉ１２から出力されたＲＴＣ部１ｉ１１の計時する現在時刻のデータを受け取ると、コンテンツデータ記憶部１ｇから読み出したコンテンツの録画時刻のデータと、録画したコンテンツの録画時からの保存許可期間を示すＲＥＴＥＮＴＩＯＮ ＢＩＴのデータとから、コンテンツの保存期間終了時刻をコンテンツデータ記憶部１ｇに記憶されている全コンテンツに関して算出し、算出したコンテンツの保存期間終了時刻と、秘匿時計アクセス部１ｉ１２から受け取ったＲＴＣ部１ｉ１１の計時する現在時刻のデータとから、秘匿時計アクセス部１ｉ１２から受け取ったＲＴＣ部１ｉ１１の計時する現在時刻のデータが算出したコンテンツの保存期間終了時刻を過ぎているコンテンツが存在するかを判定する機能と、当該判定の結果、秘匿時計アクセス部１ｉ１２から受け取ったＲＴＣ部１ｉ１１の計時する現在時刻のデータが算出したコンテンツの保存期間終了時刻を過ぎているコンテンツが存在する場合には、ＲＴＣ部１ｉ１１の計時する現在時刻のデータが算出したコンテンツの保存期間終了時刻を過ぎているコンテンツが存在することを示す保存期間終了コンテンツ有り情報と、ＲＴＣ部１ｉ１１の計時する現在時刻のデータが算出したコンテンツの保存期間終了時刻を過ぎているコンテンツに関する情報との組を、前述した判定の結果、秘匿時計アクセス部１ｉ１２から受け取ったＲＴＣ部１ｉ１１の計時する現在時刻のデータが算出したコンテンツの保存期間終了時刻を過ぎているコンテンツが存在しない場合には、ＲＴＣ部１ｉ１１の計時する現在時刻のデータが算出したコンテンツの保存期間終了時刻を過ぎているコンテンツが存在しないことを示す保存期間終了コンテンツ無し情報をコンテンツ破棄部１ｏに出力する機能とを有していてもよい。
【００７０】
工程Ｂ６では、ローカル復号化部１ｒは、動画の再生要求を入力受付部１ｃから受け取った後で、再生要求のあるコンテンツの再生を許可することを示すコンテンツの再生許可通知を著作権保護用保存期間監視部１ｎから受け取った場合には、コンテンツデータ記憶部１ｇから操作者から再生要求のあるコンテンツのデータを読み出し、読み出したコンテンツを復号して、コンテンツ表示部１ｓに表示させる。
【００７１】
以上の一連の処理により、本実施の形態に係るコンテンツデータ管理装置１は、実行中の再生処理を終了する。
【００７２】
なお、本実施の形態に係るコンテンツデータ管理装置１は、著作権保護用保存期間監視部１ｎが操作者から再生要求のあるコンテンツに関してのみ、コンテンツデータ記憶部１ｇから読み出したコンテンツの録画時刻のデータと、録画したコンテンツの録画時からの保存許可期間を示すＲＥＴＥＮＴＩＯＮ ＢＩＴのデータとから、コンテンツの保存期間終了時刻を算出し、算出したコンテンツの保存期間終了時刻と、秘匿時計アクセス部１ｉ１２から受け取ったＲＴＣ部１ｉ１１の計時する現在時刻のデータとから、秘匿時計アクセス部１ｉ１２から受け取ったＲＴＣ部１ｉ１１の計時する現在時刻のデータが算出したコンテンツの保存期間終了時刻を過ぎているかに関する判定処理を実行したが、これに限らず、コンテンツ再生処理とは無関係に、予め定められた略一定の時間間隔、又は電源スイッチ部１ｈが操作者の操作によってオンの状態に切り替えられる度に、著作権保護用保存期間監視部１ｎがコンテンツデータ記憶部１ｇに記憶された全てのコンテンツに関して、コンテンツデータ記憶部１ｇから読み出したコンテンツの録画時刻のデータと、録画したコンテンツの録画時からの保存許可期間を示すＲＥＴＥＮＴＩＯＮ ＢＩＴのデータとから、コンテンツの保存期間終了時刻を算出し、算出したコンテンツの保存期間終了時刻と、秘匿時計アクセス部１ｉ１２から受け取ったＲＴＣ部１ｉ１１の計時する現在時刻のデータとから、秘匿時計アクセス部１ｉ１２から受け取ったＲＴＣ部１ｉ１１の計時する現在時刻のデータが算出したコンテンツの保存期間終了時刻を過ぎているコンテンツが存在するかを判定する判定処理を実行してもよいことは言うまでもない。
［コンテンツリスト表示処理：ＳＴＣ］
【００７３】
図４は、本実施の形態に係るコンテンツデータ管理装置１の実行するコンテンツリスト表示処理を説明するためのフローチャートである。
【００７４】
始めに、本実施の形態に係るコンテンツデータ管理装置１の入力受付部１ｃに設けられたコンテンツリストを生成させるための図示しないリスト生成釦が操作者の操作によって操作されると、コンテンツリスト生成部１ｐは、入力受付部１ｃからコンテンツリスト表示要求を受け取り、コンテンツデータ記憶部１ｇに記憶されている全てのコンテンツに関するデータをコンテンツデータ記憶部１ｇから読み出す（Ｃ１）。
【００７５】
次に、コンテンツリスト生成部１ｐは、読み出したコンテンツの属性情報を含むコンテンツリストを生成する（Ｃ２）。
【００７６】
次に、コンテンツリスト生成部１ｐは、生成したコンテンツリストのデータをコンテンツリスト表示部１ｑに表示させる（Ｃ３）。
【００７７】
以上の一連の処理により、本実施の形態に係るコンテンツデータ管理装置１は、実行中のコンテンツリスト表示処理を終了する。
【００７８】
上述したように、本実施の形態によれば、操作者の操作によって計時した時刻を修正不可能なＲＴＣ部１ｉ１１により計時された現在時刻が、コンテンツデータ記憶部１ｇにコンテンツに関連付けて記憶されたコンテンツの保存期間とコンテンツの録画時刻のデータとから算出されたコンテンツの保存期間終了時刻を過ぎていた場合に、操作者の操作によって計時した時刻を修正不可能なＲＴＣ部１ｉ１１により計時された現在時刻が算出されたコンテンツの保存期間終了時刻を過ぎているコンテンツのデータを削除することにより、コンテンツ保存期間の不正使用の防止を図ることが可能になる。
【００７９】
なお、本発明は、上記実施の形態に限定されるものではなく、実施段階では本発明の要旨を逸脱しない範囲内で種々の変更が可能である。更に上記実施の形態には種々の段階の発明が含まれており、開示される複数の構成要件における適宜な組み合わせにより種々の発明が生成され得る。例えば実施の形態に示される全構成要件からいくつかの要件が省略されることで発明が生成される場合には、その生成された発明を実施する段階では省略部分が周知慣用技術で補われるものである。
【００８０】
その他、本発明は、その要旨を逸脱しない範囲内で種々変更して実施することが出来る。
【図面の簡単な説明】
【００８１】
【図１】本発明の一実施の形態に係るコンテンツデータ管理装置１の全体構成を示すブロック図である。
【図２】同実施の形態に係るコンテンツデータ管理装置１の実行する録画処理を説明するためのフローチャートである。
【図３】同実施の形態に係るコンテンツデータ管理装置１の実行するコンテンツ再生処理を説明するためのフローチャートである。
【図４】同実施の形態に係るコンテンツデータ管理装置１の実行するコンテンツリスト表示処理を説明するためのフローチャートである。
【符号の説明】
【００８２】
１  コンテンツデータ管理装置、１ａ  コンテンツ受信部、１ｂ  復号化処理部、１ｃ  入力受付部、１ｄ  保存期間検出部、１ｅ  保存期間記録部、１ｆ  ローカル暗号化処理部、１ｇ  コンテンツデータ記憶部、１ｈ  電源スイッチ部、１ｉ  セキュアクロック部、１ｉ１  秘匿時計部、１ｉ１１  ＲＴＣ部、１ｉ１２  秘匿時計アクセス部、１ｉ２  通常時計部、１ｉ２１  通常時計アクセス部、１ｉ２２  カーネルクロック部、１ｉ２３  時刻差分情報記憶部、１ｉ２４  擬似ＲＴＣ部、１ｊ  時刻調整操作受付部、１ｋ  時刻表示部、１ｌ  通常時計録画時刻記録部、１ｍ  秘匿時計録画時刻記録部、１ｎ  著作権保護用保存期間監視部、１ｏ  コンテンツ破棄部、１ｐ  コンテンツリスト生成部、１ｑ  コンテンツリスト表示部、１ｒ  ローカル復号化処理部、１ｓ  コンテンツ表示部
【図１】
2010021807.tif 000003
【図２】
2010021807.tif 000004
【図３】
2010021807.tif 000005
【図４】
2010021807.tif 000006